(57)【要約】      （修正有）【課題】身体の患部を保護しようとする筋肉の働きをサポートして身体の患部の保護や怪我の予防等を行うと共に、専門の知識や高い技術がなくても一人で簡単且つ容易にテーピングを行え、然も、テーピングを低コストで行えるようにする。【解決手段】全ての方向に伸縮性のあるシート状の基布３の裏面に粘着剤を塗布して粘着剤層４を形成した粘着シート２と、粘着シート２の粘着剤層に剥離自在に重ね貼りした剥離紙とから成り、剥離紙を剥がした粘着シート２を身体の患部や障害の発生し易い部分、筋肉の弱い部分に貼り付けて身体の患部の保護、怪我の予防、怪我の再発防止を行うようにしたテーピングシートであって、粘着シート２の中心部に身体の患部や障害の発生し易い部分、筋肉の弱い部分に対応する円形の抜き穴６を形成する。【選択図】図５
0003129871.tif 000002
【実用新案登録請求の範囲】
【請求項１】
全ての方向に伸縮性のあるシート状の基布（３）の裏面に粘着剤を塗布して粘着剤層（４）を形成した粘着シート（２）と、粘着シート（２）の粘着剤層（４）に剥離自在に重ね貼りした剥離紙（５）とから成り、剥離紙（５）を剥がした粘着シート（２）を身体の患部や障害の発生し易い部分、筋肉の弱い部分に貼り付けて身体の患部の保護、怪我の予防、怪我の再発防止を行うようにしたテーピングシート（１）であって、粘着シート（２）の中心部に身体の患部や障害の発生し易い部分、筋肉の弱い部分に合致する円形の抜き穴（６）を形成したことを特徴とするテーピングシート。
【請求項２】
粘着シート（２）の粘着剤層（４）は、基布（３）の裏面に強い粘着力の粘着剤を塗布した強い粘着剤層（４ａ）と、弱い粘着力の粘着剤を塗布した弱い粘着剤層（４ｂ）とを備えており、前記強い粘着剤層（４ａ）が基布（３）の外周縁部裏面に環状に形成されていると共に、基布（３）の裏面に抜き穴（６）の中心から放射状に形成され、又、弱い粘着剤層（４ｂ）が基布（３）の残りの部分に形成されていることを特徴とする請求項１に記載のテーピングテープ。
【請求項３】
粘着シート（２）の粘着剤層（４）は、基布（３）の裏面に強い粘着力の粘着剤を塗布した強い粘着剤層（４ａ）と、弱い粘着力の粘着剤を塗布した弱い粘着剤層（４ｂ）とを備えており、前記強い粘着剤層（４ａ）が基布（３）の外周縁部裏面に環状に形成されていると共に、基布（３）の外周縁部以外の裏面に抜き穴（６）の中心に合致する二つ以上の同心円状に形成され、又、弱い粘着剤層（４ｂ）が基布（３）の残りの部分に形成されていることを特徴とする請求項１に記載のテーピングテープ。
【請求項４】
粘着シート（２）の粘着剤層（４）は、基布（３）の裏面に強い粘着力の粘着剤を塗布した強い粘着剤層（４ａ）と、弱い粘着力の粘着剤を塗布した弱い粘着剤層（４ｂ）と、前記両粘着剤の中間の強さの粘着剤を塗布した中間の粘着剤層（４ｃ）とを備えており、前記強い粘着剤層（４ａ）が基布（３）の外周縁部裏面に環状に形成され、又、中間の粘着剤層（４ｃ）が基布（３）の裏面に抜き穴（６）の中心から放射状に形成され、更に、弱い粘着剤層（４ｂ）が基布（３）の残りの部分に形成されていることを特徴とする請求項１に記載のテーピングテープ。
【請求項５】
粘着シート（２）の粘着剤層（４）は、基布（３）の裏面に強い粘着力の粘着剤を塗布した強い粘着剤層（４ａ）と、弱い粘着力の粘着剤を塗布した弱い粘着剤層（４ｂ）と、前記両粘着剤の中間の強さの粘着剤を塗布した中間の粘着剤層（４ｃ）とを備えており、前記強い粘着剤層（４ａ）が基布（３）の外周縁部裏面に環状に形成され、又、中間の粘着剤層（４ｃ）が基布（３）の外周縁部以外の裏面に抜き穴（６）の中心に合致する二つ以上の同心円状に形成され、更に、弱い粘着剤層（４ｂ）が基布（３）の残りの部分に形成されていることを特徴とする請求項１に記載のテーピングテープ。
【請求項６】
粘着シート（２）の基布（３）の表面に、抜き穴（６）の中心に合致する複数本の同心円（８）及び各同心円（８）の直径方向に位置する放射状の直線（９）を画いたことを特徴とする請求項１、請求項２、請求項３、請求項４又は請求項５に記載のテーピングシート。
【請求項７】
粘着シート（２）及び剥離紙（５）の外径形状を円形又は角部に丸みを付けた矩形状に形成したことを特徴とする請求項１、請求項２、請求項３、請求項４、請求項５又は請求項６に記載のテーピングシート。
【考案の詳細な説明】
【技術分野】
【０００１】
本考案は、身体の患部（例えば、腕、肘、指、膝、肩、足首、太股、ふくらはぎ、背中等の痛い部分や損傷している部分、凝っている部分）に貼り付けたり、或いは身体の障害が発生し易い部分や筋肉の弱い部分に貼り付け、身体の患部の保護や怪我の予防、怪我の再発防止等に使用するテーピングシートに係り、特に、身体の患部を保護しようとする筋肉の働きをサポートして身体の患部の保護や怪我の予防等を行うと共に、専門の知識や高い技術がなくても一人で簡単且つ容易にテーピングを行え、然も、テーピングを低コストで行えるようにしたテーピングシートに関するものである。
【背景技術】
【０００２】
一般に、スポーツによる捻挫や打撲、突き指、筋肉痛、筋損傷（肉離れ）、関節痛、怪我の予防、怪我の再発防止には、テーピングが行われて来た。
即ち、テーピングは、長尺状のテープを身体の患部や障害が発生し易い部分に貼り付けたり、巻き付けたりして筋肉や関節を補強・強化し、これによって患部の保護や怪我の予防、怪我の再発防止を行うようにしたものである。このようなテーピングのテープには、片面に粘着剤層を形成した長尺状の非伸縮性のテープや伸縮性のテープ等が使用されている（例えば、特許文献１及び特許文献２等参照）。
【０００３】
しかし、長尺状のテープを用いたテーピングは、長尺状のテープを身体の患部や障害の発生し易い部分等に貼り付けたり、巻き付けたりしているため、テーピングの仕方によっては、血行障害を起こしたり、関節の屈伸に伴う筋肉の動きがテープによって必要以上に阻害されたりすることがあり、治療効果や機能補助効果を損ないかねないと云う問題があった。
又、テーピングは、テーピングの順序或いは方向を正確に行わなければ効果がなく、専門の知識や高い技術を持ったトレーナー等でなければ適切なテーピングを行うことができないうえ、テーピングに時間が掛かると云う問題があった。
更に、テーピングは、非伸縮性のテープや伸縮性のテープ、アンダーラップ（テープのこすれ等から皮膚を保護する役目を持つ）、粘着スプレー（アンダーラップを巻くのに使用する）、ハサミ等のたくさんの用具を必要とするうえ、テープ等の使用量も多くなるため、コスト高になると云う問題があった。
【特許文献１】特開平１０−２７７０８３号公報
【特許文献２】実用新案登録第３０８６６３０号公報
【考案の開示】
【考案が解決しようとする課題】
【０００４】
本考案は、このような問題点に鑑みて為されたものであり、その目的は身体の患部を保護しようとする筋肉の働きをサポートして身体の患部の保護や怪我の予防等を行うと共に、専門の知識や高い技術がなくても一人で簡単且つ容易にテーピングを行え、然も、テーピングを低コストで行えるようにしたテーピングシートを提供することにある。
【課題を解決するための手段】
【０００５】
上記目的を達成する為に、本考案の請求項１のテーピングシートは、全ての方向に伸縮性のあるシート状の基布の裏面に粘着剤を塗布して粘着剤層を形成した粘着シートと、粘着シートの粘着剤層に剥離自在に重ね貼りした剥離紙とから成り、剥離紙を剥がした粘着シートを身体の患部や障害の発生し易い部分、筋肉の弱い部分に貼り付けて身体の患部の保護、怪我の予防、怪我の再発防止を行うようにしたテーピングシートであって、粘着シートの中心部に身体の患部や障害の発生し易い部分、筋肉の弱い部分に合致する円形の抜き穴を形成したことに特徴がある。
【０００６】
本考案の請求項２のテーピングシートは、粘着シートの粘着剤層が、基布の裏面に強い粘着力の粘着剤を塗布した強い粘着剤層と、弱い粘着力の粘着剤を塗布した弱い粘着剤層とを備えており、前記強い粘着剤層が基布の外周縁部裏面に環状に形成されていると共に、基布の裏面に抜き穴の中心から放射状に形成され、又、弱い粘着剤層が基布の残りの部分に形成されていることに特徴がある。
【０００７】
本考案の請求項３のテーピングシートは、粘着シートの粘着剤層が、基布の裏面に強い粘着力の粘着剤を塗布した強い粘着剤層と、弱い粘着力の粘着剤を塗布した弱い粘着剤層とを備えており、前記強い粘着剤層が基布の外周縁部裏面に環状に形成されていると共に、基布の外周縁部以外の裏面に抜き穴の中心に合致する二つ以上の同心円状に形成され、又、弱い粘着剤層が基布の残りの部分に形成されていることに特徴がある。
【０００８】
本考案の請求項４のテーピングシートは、粘着シートの粘着剤層が、基布の裏面に強い粘着力の粘着剤を塗布した強い粘着剤層と、弱い粘着力の粘着剤を塗布した弱い粘着剤層と、前記両粘着剤の中間の強さの粘着剤を塗布した中間の粘着剤層とを備えており、前記強い粘着剤層が基布の外周縁部裏面に環状に形成され、又、中間の粘着剤層が基布の裏面に抜き穴の中心から放射状に形成され、更に、弱い粘着剤層が基布の残りの部分に形成されていることに特徴がある。
【０００９】
本考案の請求項５のテーピングシートは、粘着シートの粘着剤層が、基布の裏面に強い粘着力の粘着剤を塗布した強い粘着剤層と、弱い粘着力の粘着剤を塗布した弱い粘着剤層と、前記両粘着剤の中間の強さの粘着剤を塗布した中間の粘着剤層とを備えており、前記強い粘着剤層が基布の外周縁部裏面に環状に形成され、又、中間の粘着剤層が基布の外周縁部以外の裏面に抜き穴の中心に合致する二つ以上の同心円状に形成され、更に、弱い粘着剤層が基布の残りの部分に形成されていることに特徴がある。
【００１０】
本考案の請求項６のテーピングシートは、粘着シートの基布の表面に、抜き穴の中心に合致する複数本の同心円及び各同心円の直径方向に位置する放射状の直線を画いたことに特徴がある。
【００１１】
本考案の請求項７のテーピングシートは、粘着シート及び剥離紙の外径形状を円形又は角部に丸みを付けた矩形状に形成したことに特徴がある。
【考案の効果】
【００１２】
本考案のテーピングシートは、次のような様々な優れた効果を奏することができる。
（１）本考案のテーピングシートは、全ての方向に伸縮性のあるシート状の基布の裏面に粘着剤層を形成した粘着シートと、粘着シートの粘着剤層に重ね貼りした剥離紙とから成り、粘着シートの中心部に身体の患部や障害の発生し易い部分、筋肉の弱い部分に合致する円形の抜き穴を形成しているため、剥離紙を剥がした粘着シートをその抜き穴が身体の患部や障害の発生し易い部分、筋肉の弱い部分に合致するように身体に沿って貼り付けると、全ての方向に伸縮性のある粘着シートにより身体の患部や障害の発生し易い部分、筋肉の弱い部分に向って周りの筋肉や組織を収縮させる作用が働くことになる。
即ち、本考案のテーピングシートは、伸縮性を有する粘着シートがトラブルを起こした部分を保護しようとする筋肉の働き（筋肉がトラブルを起こしたとき、その部分を保護するために周辺組織が収縮する働き）をサポートし、痛みの軽減や治癒のスピードアップを図ると共に、怪我の予防や怪我の再発防止を行うことになり、極めて優れたテーピング効果が得られる。
（２）本考案のテーピングシートは、粘着シートの粘着剤層が粘着力の異なる複数の粘着剤層を備えているため、粘着シートを貼っている部分の皮膚や筋肉が動いたときに粘着シートが不均等な伸び縮みをし、これにより一種のマッサージ効果が生まれ、粘着シートの伸縮性によって皮膚や筋肉を刺激して血液やリンパ液の循環が良くなり、痛みの軽減や治癒のスピードアップに役立つ。
（３）本考案のテーピングシートは、粘着シートの基布の表面側に複数本の同心円や放射状の直線を画いているため、身体の患部等に貼ったときに同心円や放射状の直線が変形し、粘着シートの伸び縮みや引っ張り度合いを目で確認することができて至極便利である。
（４）本考案のテーピングシートは、使用時には剥離紙を剥がした粘着シートを身体の患部や障害の発生し易い部分等に貼るだけで良いため、専門の知識や高い技術がなくても、子供から老人まで一人で簡単且つ容易にテーピングを行えると共に、テーピングの処置にかかる時間も極めて少ない。
（５）本考案のテーピングシートは、粘着シートを身体の患部等に一枚貼るだけで良いため、テーピングを低コストで行えると共に、使用時の違和感も極めて少なく、運動時に於いてもパフォーマンスの低下を来たすことがない。
（６）本考案のテーピングシートは、粘着シート及び剥離紙の外径形状を円形又は角部に丸みを付けた矩形状に形成しているため、身体から剥れ難くなる。然も、基布の外周縁部裏面に粘着力の強い環状の粘着剤層を形成している場合には、より一層剥れ難くなる。
【考案を実施するための最良の形態】
【００１３】
以下、本考案の実施の形態を図面に基づいて詳細に説明する。
図１乃至図５は本考案の第１の実施形態に係るテーピングシート１を示し、当該テーピングシート１は、全ての方向に伸縮性のあるシート状の基布３の裏面に粘着剤を塗布して粘着剤層４を形成した粘着シート２と、粘着シート２の粘着剤層４に剥離自在に重ね貼りした剥離紙５とから成り、粘着シート２の中心部に身体の患部や障害の発生し易い部分、筋肉の弱い部分に合致する円形の抜き穴６を形成したものである。
このテーピングシート１は、剥離紙５を剥離した粘着シート２をその抜き穴６が身体の患部や障害の発生し易い部分、筋肉の弱い部分に合致するように身体に沿って貼り付け、粘着シート２の伸縮性によってトラブルを起こした部分を保護しようとする筋肉の働きをサポートし、身体の患部や障害の発生し易い部分の保護、怪我の予防、怪我の再発防止を行うようにしたものである。
【００１４】
前記粘着シート２は、全ての方向（縦方向、横方向及び斜め方向）に伸縮性のある通気性、透湿性、柔軟性に優れた織物や不織布、ニット布等から成る円形の基布３の裏面全域に粘着剤を塗布して粘着剤層４を形成することにより構成されており、その中心部には、身体の患部や障害の発生し易い部分、筋肉の弱い部分に合致する円形の抜き穴６が形成されている。
粘着剤層４を形成する粘着剤としては、皮膚に対して良く付着し、剥がした後に粘着剤が肌に残らず、然も、かぶれを生じさせないようなアクリル系、シリコーン系、ゴム系その他の適宜の粘着剤が使用されている。
【００１５】
尚、粘着シート２の伸縮率は、筋肉（皮膚）の伸縮率と同じ位の３０〜４０％に設定されている。
又、粘着シート２の基布３の厚みは、０．３ｍｍ〜０．５ｍｍに設定されている。
更に、粘着シート２の大きさは、身体の粘着シート２を貼る部位の大きさに合う大きさに形成されている。例えば、粘着シート２の外径は、２０ｍｍ〜２００ｍｍに、粘着シート２の抜き穴６の内径は、５ｍｍ〜３０ｍｍに夫々設定されている。
【００１６】
前記剥離紙５は、粘着剤層４に対して表面剥離性を有する紙又はプラスチックフィルム等から成る。この実施形態に於いては、剥離紙５には、図２及び図３に示す如く、略半円状に形成した二枚の剥離紙５が使用されており、略半円状に形成した二枚の剥離紙５をその直線部分の内側面同士が重なるようにして粘着シート２の粘着剤層４に重ね貼りし、二枚の剥離紙５の重なる直線部分を開くことによって、二枚の剥離紙５を粘着シート２から簡単且つ容易に剥がせるように工夫されている。
又、二枚の半円状の剥離紙５には、粘着シート２の抜き穴６に合致する円形の穴７が夫々形成されている。
【００１７】
次に、上述したテーピングシート１を用いて身体の患部や障害が発生し易い部分等をテーピングする場合について説明する。
先ず、テーピングを行う身体の患部（例えば、腕、肘、指、膝、肩、足首、太股、ふくらはぎ、背中等の痛い部分や損傷している部分、凝っている部分）、身体の障害が発生し易い部分、筋肉の弱い部分をテーピングする前にその部位を清潔にする。テーピングを行う部位が発汗している場合には、汗を拭き取り、又、体毛が多い場合には、予め体毛を剃っておく。
【００１８】
次に、テーピングシート１の二枚の剥離紙５を剥がし、粘着シート２をその抜き穴６が身体の患部や障害の発生し易い部分、筋肉の弱い部分に合致するように身体に沿って貼り付ける（図５参照）。このとき、粘着シート２は、患部等の症状に応じて抜き穴６の形状が正円形になるように貼ったり、或いは円形の抜き穴６が変形するように貼る。即ち、患部等の症状が軽い場合には、抜き穴６が正円形になるように粘着シート２を貼り、又、患部等の症状が重い場合には、強い伸縮性が得られるように円形の抜き穴６が変形するように貼る。
そうすると、全ての方向に伸縮性のある粘着シート２により身体の患部や障害の発生し易い部分、筋肉の弱い部分に向って周りの筋肉や組織を収縮させる作用が働くことになる。その結果、このテーピングシート１は、伸縮性を有する粘着シート２がトラブルを起こした部分を保護しようとする筋肉の働き（筋肉がトラブルを起こしたとき、その部分を保護するために周辺組織が収縮する働き）をサポートし、痛みの軽減や治癒のスピードアップを図ると共に、怪我の予防や怪我の再発防止を行うことになり、極めて優れたテーピング効果が得られる。
【００１９】
例えば、粘着シート２をその抜き穴６が筋損傷（肉離れ）を起こしている部位（圧痛点）に合致するように身体に沿って貼り付けると、伸縮性のある粘着シート２が筋損傷を生じている部位に向って周囲の組織が収縮するのを促し、その圧力により損傷の増大を防ぐと共に、出血や発痛物質の早期除去を行う。
又、粘着シート２をその抜き穴６が靭帯の損傷部位（疼痛・圧痛点）に合致するように足の形状に沿って貼り付けると、粘着シート２の伸縮作用により問題部位に向って周囲の組織が収縮して圧力をかけ、患部の保護、出血の除去を促して早期回復を図る。
更に、粘着シート２をその抜き穴６が肩の筋肉の弱い部分（腱板部）に合致するように肩に沿って貼り付けると、粘着シート２の伸縮作用によりインナーマッスル等の組織が筋の弱い個所に向って集まり、筋の弱所を補助して関節の安定性を高めると共に、練習を中断することなく、弱い個所を補強することができる。
【００２０】
このように、前記テーピングシート１は、極めて優れたテーピング効果が得られるうえ、使用時には剥離紙５を剥がした粘着シート２を身体の患部や障害の発生し易い部分等に貼り付けるだけで良いため、専門の知識や高い技術がなくても、子供から老人まで一人で簡単且つ容易にテーピングを行えると共に、テーピングの処置に時間がかかると云うこともない。
又、このテーピングシート１は、粘着シート２を身体の患部等に一枚貼り付けるだけで良いため、テーピングを低コストで行えると共に、使用時の違和感も極めて少なく、運動時に於いてもパフォーマンスの低下を来たすことがない。
更に、このテーピングシート１は、粘着シート２及び剥離紙５の外径形状が円形になるように形成しているため、身体から剥れ難くなっている。
【００２１】
図６は本考案の第２の実施形態に係るテーピングシート１を示し、当該テーピングシート１は、粘着シート２及び剥離紙５の外形形状を角部に丸み（アール）を付けた長方形状に形成したものであり、その他の構成（粘着シート２の抜き穴６の形状、剥離紙５の穴７の形状、剥離紙５の枚数、基布３及び剥離紙５の材質、粘着剤層４を形成する粘着剤の種類等）は、上述した第１の実施形態に係るテーピングシート１と同じである。
このテーピングシート１も、上述した第１の実施形態に係るテーピングシート１と同様の作用効果を奏する。
【００２２】
図７は本考案の第３の実施形態に係るテーピングシート１を示し、当該テーピングシート１は、粘着シート２及び剥離紙５の外形形状を角部に丸み（アール）を付けた正方形状に形成したものであり、その他の構成は、上述した第１の実施形態に係るテーピングシート１と同じである。
このテーピングシート１も、上述した第１の実施形態に係るテーピングシート１と同様の作用効果を奏する。
【００２３】
図８は本考案の第４の実施形態に係るテーピングシート１を示し、当該テーピングシート１は、円形の粘着シート２の粘着剤層４に強弱を持たせたものであり、その他の構成は、上述した第１の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に環状に形成されていると共に、基布３の裏面に抜き穴６の中心から放射状に形成され、又、弱い粘着剤層４ｂが基布３の残りの部分に形成された格好になっている。
尚、環状の強い粘着剤層４ａ及び放射状の強い粘着剤層４ａは、何れも不連続の状態で形成されている。
このテーピングシート１は、上述した第１の実施形態に係るテーピングシート１と同様の作用効果を奏する。然も、このテーピングシート１は、粘着シート２の粘着剤層４が粘着力の異なる強さ複数の粘着剤層４ａ，４ｂを備えているため、粘着シート２を貼っている部分の皮膚や筋肉が動いたときに粘着シート２が不均等な伸び縮みをし、これにより一種のマッサージ効果が生まれ、粘着シート２の伸縮性によって皮膚や筋肉を刺激して血液やリンパ液の循環が良くなり、痛みの軽減や治癒のスピードアップに役立つ。又、基布３の外周縁部裏面に粘着力の強い環状の粘着剤層４ａを形成しているため、粘着シート２が剥れ難くなっている。
【００２４】
図９は本考案の第５の実施形態に係るテーピングシート１を示し、当該テーピングシート１は、円形の粘着シート２の粘着剤層４に強弱を持たせたものであり、その他の構成は、上述した第１の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に環状に形成されていると共に、基布３の外周縁部以外の裏面に抜き穴６の中心に合致する二つ以上の同心円状に形成され、又、弱い粘着剤層４ｂが基布３の残りの部分に形成された格好になっている。
尚、環状の強い粘着剤層４ａ及び同心円状の強い粘着剤層４ａは、何れも不連続の状態で形成されている。
このテーピングシート１は、上述した第４の実施形態に係るテーピングシート１と同様の作用効果を奏する。
【００２５】
図１０は本考案の第６の実施形態に係るテーピングシート１を示し、当該テーピングシート１は、長方形状の粘着シート２の粘着剤層４に強弱を持たせたものであり、その他の構成は、上述した第２の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に略長方形の環状に形成されていると共に、基布３の裏面に抜き穴６の中心から放射状に形成され、又、弱い粘着剤層４ｂが基布３の残りの部分に形成された格好になっている。
このテーピングシート１は、上述した第４の実施形態に係るテーピングシート１と同様の作用効果を奏する。
【００２６】
図１１は本考案の第７の実施形態に係るテーピングシート１を示し、当該テーピングシート１は、長方形状の粘着シート２の粘着剤層４に強弱を持たせたものであり、その他の構成は、上述した第２の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に略長方形の環状に形成されていると共に、基布３の外周縁部以外の裏面に抜き穴６の中心に合致する二つ以上の同心円状に形成され、又、弱い粘着剤層４ｂが基布３の残りの部分に形成された格好になっている。
このテーピングシート１は、上述した第４の実施形態に係るテーピングシート１と同様の作用効果を奏する。
【００２７】
図１２は本考案の第８の実施形態に係るテーピングシート１を示し、当該テーピングシート１は、正方形状の粘着シート２の粘着剤層４に強弱を持たせたものであり、その他の構成は、上述した第３の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に略正方形の環状に形成されていると共に、基布３の裏面に基布３の中心から放射状に形成され、又、弱い粘着剤層４ｂが基布３の残りの部分に形成された格好になっている。
このテーピングシート１は、上述した第４の実施形態に係るテーピングシート１と同様の作用効果を奏する。
【００２８】
図１３は本考案の第９の実施形態に係るテーピングシート１を示し、当該テーピングシート１は、正方形状の粘着シート２の粘着剤層４に強弱を持たせたものであり、その他の構成は、上述した第３の実施形態に係るテーピングシート１と同じである。
即ち、このテーピングシート１は、粘着シート２の粘着剤層４が、基布３の裏面に強い粘着力の粘着剤を塗布した強い粘着剤層４ａと、弱い粘着力の粘着剤を塗布した弱い粘着剤層４ｂとを備えており、前記強い粘着剤層４ａが基布３の外周縁部裏面に略正方形の環状に形成されていると共に、基布３の外周縁部以外の裏面に抜き穴６の中心に合致する二つ以上の同心円状に形成され、又、弱い粘着剤層４ｂが基布３の残りの部分に形成された格好になっている。
このテーピングシート１は、上述した第４の実施形態に係るテーピングシート１と同様の作用効果を奏する。
【００２９】
図１４乃至図１６は本考案の第１０、第１１及び第１２の実施形態に係るテーピングシート１を示し、これらのテーピングシート１は、粘着シート２の基布３の表面に粘着シート２の引っ張り度合いを確かめるための線を画いたものであり、その他の構成は、上述した第１の実施形態に係るテーピングシート１と同様構造に構成されている。
即ち、これらのテーピングシート１は、円形、長方形、正方形の粘着シート２の基布３の表面に、夫々抜き穴６の中心に合致する複数本の同心円８及び各同心円８の直径方向に位置する放射状の直線９を画いたものである。
これらのテーピングシート１は、上述した第１の実施形態に係るテーピングシート１と同様の作用効果を奏する。然も、これらのテーピングシート１は、粘着シート２の基布３の表面側に複数本の同心円８や放射状の直線９を画いているため、身体の患部等に貼ったときに同心円８や放射状の直線９が変形し、粘着シート２の伸び縮みや引っ張り度合いを目で確認することができて至極便利である。
【００３０】
図１７乃至図２２は本考案の第１３、第１４、第１５、第１６、第１７及び第１８の実施形態に係るテーピングシート１を示し、これらのテーピングシート１は、第４乃至第９の実施形態に係るテーピングシート１と同様に粘着シート２の粘着剤層４に強弱（強い粘着剤層４ａ及び弱い粘着剤層４ｂ）を持たせると共に、第１０乃至第１２の実施形態のテーピングシート１と同様に粘着シート２の基布３の表面に粘着シート２の引っ張り度合いを確かめるための線（複数本の同心円８及び放射状の直線９）を画いたものである。
これらのテーピングシート１は、上述した第１の実施形態に係るテーピングシート１と同様の作用効果を奏する。然も、これらのテーピングシート１は、粘着シート２の粘着剤層４が粘着力の異なる強さ複数の粘着剤層４ａ，４ｂを備えているため、粘着シート２を貼っている部分の皮膚や筋肉が動いたときに粘着シート２が不均等な伸び縮みをし、これにより一種のマッサージ効果が生まれ、粘着シート２の伸縮性によって皮膚や筋肉を刺激して血液やリンパ液の循環が良くなり、痛みの軽減や治癒のスピードアップに役立つ。又、基布３の外周縁部裏面に粘着力の強い環状の粘着剤層４ａを形成しているため、粘着シート２が剥れ難くなっている。更に、これらのテーピングシート１は、粘着シート２の基布３の表面側に複数本の同心円８や放射状の直線９を画いているため、身体の患部等に貼ったときに同心円８や放射状の直線９が変形し、粘着シート２の伸び縮みや引っ張り度合いを目で確認することができて至極便利である。
【００３１】
図２３乃至図２４は本考案の第１９及び第２０の実施形態に係るテーピングシート１を示し、これらのテーピングシート１は、粘着シート２の粘着剤層４に三種類の強弱を持たせたものである。
即ち、図２３に示すテーピングテープは、粘着シート２の粘着剤層４が、基布３の裏面に強い粘着力の粘着剤を塗布した強い粘着剤層４ａと、弱い粘着力の粘着剤を塗布した弱い粘着剤層４ｂと、前記両粘着剤の中間の強さの粘着剤を塗布した中間の粘着剤層４ｃとを備えており、前記強い粘着剤層４ａが基布３の外周縁部裏面に環状に形成され、又、中間の粘着剤層４ｃが基布３の裏面に抜き穴６の中心から放射状に形成され、更に、弱い粘着剤層４ｂが基布３の残りの部分に形成された格好になっている。
又、図２４に示すテーピングテープは、粘着シート２の粘着剤層４が、基布３の裏面に強い粘着力の粘着剤を塗布した強い粘着剤層４ａと、弱い粘着力の粘着剤を塗布した弱い粘着剤層４ｂと、前記両粘着剤の中間の強さの粘着剤を塗布した中間の粘着剤層４ｃとを備えており、前記強い粘着剤層４ａが基布３の外周縁部裏面に環状に形成されに、又、中間の粘着剤層４ｃが基布３の外周縁部以外の裏面に抜き穴６の中心に合致する二つ以上の同心円状に形成され、更に、弱い粘着剤層４ｂが基布３の残りの部分に形成された格好になっている。
これらのテーピングテープは、上述した第４の実施形態に係るテーピングシート１と同様の作用効果を奏する。
【００３２】
尚、図２３及び図２４に示すテーピングシート１に於いては、何れも粘着シート２を円形に形成するようにしたが、他の実施の形態に於いては、粘着シート２を角部を丸みに形成した長方形状や正方形状に形成するようにしても良く、又、粘着シート２の基布３の表面に、夫々抜き穴６の中心に合致する複数本の同心円８及び各同心円８の直径方向に位置する放射状の直線９を画いても良い（何れも図示省略）。
【００３３】
又、図８乃至図１３、図１７乃至図２４に示すテーピングシート１に於いては、放射状の粘着剤層４ａ（４ｃ）と同心円状の粘着剤層４ａ（４ｃ）とを夫々不連続の状態に形成しているが、他の実施形態に於いては、放射状の粘着剤層４ａ（４ｃ）と同心円状の粘着剤層４ａ（４ｃ）とを夫々連続する状態で形成しても良い（何れも図示省略）。
【００３４】
更に、図１乃至図２４に示すテーピングシート１に於いては、外形形状を円形、長方形状又は正方形状に形成するようにしたが、各テーピングシート１の外形形状は如何なる形状であっても良い。
【図面の簡単な説明】
【００３５】
【図１】本考案の第１の実施形態に係るテーピングシートの正面図である。
【図２】図１に示すテーピングシートの背面図である。
【図３】図２のＩ−Ｉ線拡大断面図である。
【図４】剥離紙を剥離したテーピングシートの背面図である。
【図５】テーピングシートの使用状態を示す説明図である。
【図６】本考案の第２の実施形態に係るテーピングシートを示し、（Ａ）はテーピングシートの正面図、（Ｂ）はテーピングシートの背面図、（Ｃ）は剥離紙を剥離したテーピングシートの背面図である。
【図７】本考案の第３の実施形態に係るテーピングシートを示し、（Ａ）はテーピングシートの正面図、（Ｂ）はテーピングシートの背面図、（Ｃ）は剥離紙を剥離したテーピングシートの背面図である。
【図８】本考案の第４の実施形態に係るテーピングシートを示し、（Ａ）はテーピングシートの正面図、（Ｂ）はテーピングシートの背面図、（Ｃ）は剥離紙を剥離したテーピングシートの背面図である。
【図９】本考案の第５の実施形態に係るテーピングシートを示し、（Ａ）はテーピングシートの正面図、（Ｂ）はテーピングシートの背面図、（Ｃ）は剥離紙を剥離したテーピングシートの背面図である。
【図１０】本考案の第６の実施形態に係るテーピングシートを示し、（Ａ）はテーピングシートの正面図、（Ｂ）はテーピングシートの背面図、（Ｃ）は剥離紙を剥離したテーピングシートの背面図である。
【図１１】本考案の第７の実施形態に係るテーピングシートを示し、（Ａ）はテーピングシートの正面図、（Ｂ）はテーピングシートの背面図、（Ｃ）は剥離紙を剥離したテーピングシートの背面図である。
【図１２】本考案の第８の実施形態に係るテーピングシートを示し、（Ａ）はテーピングシートの正面図、（Ｂ）はテーピングシートの背面図、（Ｃ）は剥離紙を剥離したテーピングシートの背面図である。
【図１３】本考案の第９の実施形態に係るテーピングシートを示し、（Ａ）はテーピングシートの正面図、（Ｂ）はテーピングシートの背面図、（Ｃ）は剥離紙を剥離したテーピングシートの背面図である。
【図１４】本考案の第１０の実施形態に係るテーピングシートを示し、（Ａ）はテーピングシートの正面図、（Ｂ）はテーピングシートの背面図、（Ｃ）は剥離紙を剥離したテーピングシートの背面図である。
【図１５】本考案の第１１の実施形態に係るテーピングシートを示し、（Ａ）はテーピングシートの正面図、（Ｂ）はテーピングシートの背面図、（Ｃ）は剥離紙を剥離したテーピングシートの背面図である。
【図１６】本考案の第１２の実施形態に係るテーピングシートを示し、（Ａ）はテーピングシートの正面図、（Ｂ）はテーピングシートの背面図、（Ｃ）は剥離紙を剥離したテーピングシートの背面図である。
【図１７】本考案の第１３の実施形態に係るテーピングシートを示し、（Ａ）はテーピングシートの正面図、（Ｂ）はテーピングシートの背面図、（Ｃ）は剥離紙を剥離したテーピングシートの背面図である。
【図１８】本考案の第１４の実施形態に係るテーピングシートを示し、（Ａ）はテーピングシートの正面図、（Ｂ）はテーピングシートの背面図、（Ｃ）は剥離紙を剥離したテーピングシートの背面図である。
【図１９】本考案の第１５の実施形態に係るテーピングシートを示し、（Ａ）はテーピングシートの正面図、（Ｂ）はテーピングシートの背面図、（Ｃ）は剥離紙を剥離したテーピングシートの背面図である。
【図２０】本考案の第１６の実施形態に係るテーピングシートを示し、（Ａ）はテーピングシートの正面図、（Ｂ）はテーピングシートの背面図、（Ｃ）は剥離紙を剥離したテーピングシートの背面図である。
【図２１】本考案の第１７の実施形態に係るテーピングシートを示し、（Ａ）はテーピングシートの正面図、（Ｂ）はテーピングシートの背面図、（Ｃ）は剥離紙を剥離したテーピングシートの背面図である。
【図２２】本考案の第１８の実施形態に係るテーピングシートを示し、（Ａ）はテーピングシートの正面図、（Ｂ）はテーピングシートの背面図、（Ｃ）は剥離紙を剥離したテーピングシートの背面図である。
【図２３】本考案の第１９の実施形態に係るテーピングシートを示し、（Ａ）はテーピングシートの正面図、（Ｂ）はテーピングシートの背面図、（Ｃ）は剥離紙を剥離したテーピングシートの背面図である。
【図２４】本考案の第２０の実施形態に係るテーピングシートを示し、（Ａ）はテーピングシートの正面図、（Ｂ）はテーピングシートの背面図、（Ｃ）は剥離紙を剥離したテーピングシートの背面図である。
【符号の説明】
【００３６】
１はテーピングシート、２は粘着シート、３は基布、４は粘着剤層、４ａは強い粘着剤層、４ｂは弱い粘着剤層、４ｃは中間の粘着剤層、５は剥離紙、６は抜き穴。
【図１】
0003129871.tif 000003
【図２】
0003129871.tif 000004
【図３】
0003129871.tif 000005
【図４】
0003129871.tif 000006
【図５】
0003129871.tif 000007
【図６】
0003129871.tif 000008
【図７】
0003129871.tif 000009
【図８】
0003129871.tif 000010
【図９】
0003129871.tif 000011
【図１０】
0003129871.tif 000012
【図１１】
0003129871.tif 000013
【図１２】
0003129871.tif 000014
【図１３】
0003129871.tif 000015
【図１４】
0003129871.tif 000016
【図１５】
0003129871.tif 000017
【図１６】
0003129871.tif 000018
【図１７】
0003129871.tif 000019
【図１８】
0003129871.tif 000020
【図１９】
0003129871.tif 000021
【図２０】
0003129871.tif 000022
【図２１】
0003129871.tif 000023
【図２２】
0003129871.tif 000024
【図２３】
0003129871.tif 000025
【図２４】
0003129871.tif 000026